(57)【特許請求の範囲】
【請求項１】
手持ち型電子機器に付設され、使用状態において使用者による切り換え操作が行われることにより前記手持ち型電子機器において少なくとも第１入力項目とこの第１入力項目と異なる第２入力項目への切り換えが行われるようにする入力装置であり、
使用状態において筐体の操作面を構成する部位に設けた開口部に対向して前記筐体の内部に配置され、サブストレートと、このサブストレートの一方主面に前記開口部と直交しかつ互いに平行状態で形成された複数の抵抗とから構成され、空気流の変化による抵抗値の変化に基づいて検出信号を出力するフローセンサーからなり、使用者により前記開口部に吹き付けられた息によって生じる空気の流れの変化を検出して検出信号を出力する検出手段と、
前記検出手段から出力された前記検出信号に基づいて、前記手持ち型電子機器に対する入力項目を切り換える制御信号を出力する入力項目切り換え部とを備え、
前記手持ち型電子機器の使用状態において、使用者による息を吹き付ける非接触の動作により入力項目の切り換え操作が行われるようにする入力装置。
【請求項２】
前記入力項目切り換え部が、前記検出手段から前記検出信号が出力されるごとに、前記第１入力項目と前記第２入力項目の切り換えを繰り返す前記制御信号を出力する請求項１に記載の入力装置。
【請求項３】
前記検出手段が使用者による息の吹き付け動作により生じる空気の流れ量や流れ時間の変化に基づいて異なる検出信号を出力するとともに、前記検出信号に基づいて前記入力項目切り換え部が異なる入力項目に切り換える前記制御信号を出力する請求項１に記載の入力装置。
【請求項４】
前記フローセンサーが、前記サブストレートの他方主面に、前記抵抗部の形成領域と相対する部位に凹部を有する請求項１に記載の入力装置。
【請求項５】
前記フローセンサーが、前記サブストレートを前記開口部に対向して前記筐体内に配置されて前記入力項目切り換え部を設けた回路基板上に実装して直付けで搭載される請求項１に記載の入力装置。
【請求項６】
使用状態において、使用者が筐体の上部に配置されたレンズ鏡筒を介して入射された画像をファインダに目を当てて見るとともに、使用者による非接触状態の切り換え操作を検出する検出手段及びこの検出手段から出力された検出信号に基づいて少なくとも第１入力項目とこの第１入力項目と異なる第２入力項目への切り換えを行う制御信号を出力する入力項目切り換え部を有する入力装置を備える手持ち型画像記録機器であり、
使用状態において操作面を構成する前記筐体の前記ファインダの設置面に、前記ファインダに対して下方の所定位置に開口部を形成し、
前記入力装置が、
サブストレートと、このサブストレートの一方主面に前記開口部と直交しかつ互いに平行状態で形成された複数の抵抗とから構成され、空気流の変化による抵抗値の変化に基づいて検出信号を出力するフローセンサーからなり、前記開口部に対向して前記筐体の内部に配置されて使用者により前記開口部に吹き付けられた息によって生じる空気の流れの変化を検出して検出信号を出力する検出手段と、
前記開口部に対向して前記筐体内に配置された回路基板に設けられ、前記検出手段から出力された前記検出信号に基づいて入力項目を切り換える制御信号を出力する入力項目切り換え部とから構成され、
使用状態において使用者による前記開口部に息を吹き付ける非接触の動作により、入力項目の切り換えが行われる手持ち型画像記録装置。
【請求項７】
前記入力装置が、前記検出手段から出力される前記検出信号ごとに、前記入力項目切り換え部から前記第１入力項目と前記第２入力項目に切り換える前記制御信号を繰り返し出力する請求項６に記載の手持ち型画像記録機器。
【請求項８】
前記入力装置が、前記検出手段から使用者による息の吹き付け動作により生じる空気の流れ量や流れ時間の変化に基づいて異なる検出信号を出力するとともに、前記入力項目切り換え部から前記検出信号に基づいて異なる入力項目に切り換える前記制御信号を出力する請求項６に記載の手持ち型画像記録機器。
【請求項９】
前記入力装置の前記フローセンサーが、前記サブストレートの他方主面に、前記抵抗部の形成領域と相対する部位に凹部を有する請求項６に記載の手持ち型画像記録機器。
【請求項１０】
前記入力装置の前記フローセンサーが、前記サブストレートを前記開口部に対向して前記筐体内に配置されて前記入力項目切り換え部を設けた回路基板上に実装して直付けで搭載される請求項６に記載の手持ち型画像記録機器。
【請求項１１】
前記入力装置の前記入力項目切り換え部から出力された前記制御信号に基づく前記第１入力項目が記録部をスタンバイ状態に設定し、前記第２入力項目が記録部を作動状態に設定する請求項６に記載の手持ち型画像記録機器。
【発明の詳細な説明】
【０００１】
【発明の属する技術分野】
本発明は、使用者により手持ちされ、使用状態において使用者の非接触状態による切り換え操作によって入力項目の切り換えを行う入力装置および入力装置を有する手持ち型画像記録装置に関するものである。
【０００２】
【従来の技術】
手持ち型電子機器の一例として、ビデオカメラレコーダ（画像記録装置）を例に挙げると、使用者がビデオカメラレコーダを用いて画像入力を行う時には、ビデオカメラレコーダの入力部分のキートップを押し下げてから別のキートップを押すことでビデオカメラレコーダのスタンバイ状態から画像記録状態（ＲＥＣ）に切り換わるようになっている。そして、この別のキートップが再び押されると、画像入力状態からスタンバイ状態に戻すことができる。
【０００３】
【発明が解決しようとする課題】
この種のビデオカメラレコーダは小型化の要求から筐体が非常に小さくなっており、筐体に設けるキートップの数をできるだけ少なくしないと、狭い筐体の中で複数のキートップを使用者が指で押さなければならない。キートップの数が多いと、電子機器の小型化が困難であるとともに、複数のキートップを順次押すような操作はたとえばビデオカメラレコーダの場合には手振れ等の発生原因となる等多くの問題を抱えている。そこで、本発明は、上記課題を解消し、手持ち型の電子機器に付設されて筐体に設けたキートップを使用者が操作するのではなく、使用者が起こす空気の流れの変化を検出することで非接触状態による切り換え操作により入力項目の切り換えを行う入力装置および入力装置を有する手持ち型画像記録装置を提供することを目的としている。
【０００４】
【課題を解決するための手段】
本発明にかかる入力装置は、手持ち型電子機器に付設され、使用状態において使用者による切り換え操作が行われることにより手持ち型電子機器において少なくとも第１入力項目とこの第１入力項目と異なる第２入力項目への切り換えが行われるようにする。本発明にかかる入力装置は、使用状態において使用者による息の吹き付け動作を検出して検出信号を出力する検出手段と、この検出手段から出力された検出信号に基づいて手持ち型電子機器に対する入力項目を切り換える制御信号を出力する入力項目切り換え部を備える。本発明にかかる入力装置は、検出手段が、使用状態において筐体の操作面を構成する部位に設けた開口部に対向して筐体の内部に配置され、サブストレートと、このサブストレートの一方主面に開口部と直交しかつ互いに平行状態で形成された複数の抵抗とから構成されて空気流の変化による抵抗値の変化に基づいて検出信号を出力するフローセンサーからなり、使用者により開口部に吹き付けられた息によって生じる空気の流れの変化を検出して検出信号を出力する。本発明にかかる入力装置は、手持ち型電子機器の使用状態において、使用者による息を吹き付ける非接触の動作により入力項目の切り換え操作が行われるようにする。本発明にかかる入力装置においては、手持ち型電子機器の筐体に入力項目を切り換えるための複数のキートップを設ける必要がなくまたキートップを押圧操作して入力項目を切り換える際の機器のブレ等の発生を無くし、自体及び手持ち型電子機器の小型化を図れるとともに、部品点数を削減することができ、コストダウンおよび信頼性の向上や操作性の向上を図ることができる。
【０００５】
また、本発明にかかる手持ち型画像記録装置は、使用状態において、使用者が筐体の上部に配置されたレンズ鏡筒を介して入射された画像をファインダに目を当てて見るとともに、使用者による非接触状態の切り換え操作を検出する検出手段及びこの検出手段から出力された検出信号に基づいて少なくとも第１入力項目とこの第１入力項目と異なる第２入力項目への切り換えを行う制御信号を出力する入力項目切り換え部を有する入力装置を備える。本発明にかかる手持ち型画像記録装置は、使用状態において操作面を構成する筐体のファインダの設置面にファインダに対して下方の所定位置に開口部が形成されるとともに、使用状態において使用者による息の吹き付け動作を検出して検出信号を出力する検出手段及びこの検出手段から出力された検出信号に基づいて入力項目を切り換える制御信号を出力する入力項目切り換え部を有する入力装置を備える。本発明にかかる手持ち型画像記録装置は、入力装置の検出手段が、サブストレートと、このサブストレートの一方主面に開口部と直交しかつ互いに平行状態で形成された複数の抵抗とから構成され、空気流の変化による抵抗値の変化に基づいて検出信号を出力するフローセンサーからなり、開口部に対向して筐体の内部に配置されて使用者により開口部に吹き付けられた息によって生じる空気の流れの変化を検出して検出信号を出力する。本発明にかかる手持ち型画像記録装置は、入力装置の入力項目切り換え部が、開口部に対向して筐体内に配置された回路基板に設けられ、検出手段から出力された検出信号に基づいて入力項目を切り換える制御信号を出力する。本発明にかかる手持ち型画像記録装置は、使用状態において使用者がファインダを見ながら必要に応じて開口部に息を吹き付ける非接触の動作を行うことにより、入力項目の切り換えが行われる。本発明にかかる手持ち型画像記録装置においては、筐体に入力項目を切り換えるための複数のキートップを設ける必要がなくまた各キートップを押圧操作して入力項目を切り換える際のブレ等の発生を無くし、小型化を図れるとともに、部品点数を削減することができ、コストダウンおよび信頼性の向上や操作性の向上を図ることができる。
【０００６】
【発明の実施の形態】
以下、本発明の好適な実施の形態を添付図面に基づいて詳細に説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００７】
図１は、本発明の入力装置を有する電子機器の好ましい実施の形態を示しており、図１の実施の形態ではこの電子機器はビデオカメラレコーダ（画像記録装置）である。図１はビデオカメラレコーダ１０のフォーカスレンズ３１側から見た斜視図であり、図２はカラービューファインダー３２側から見たビデオカメラレコーダ１０の斜視図である。ビデオカメラレコーダ１０は、たとえばデジタルビデオカメラレコーダであり、ボディ（筐体）１２を有しており、このボディ１２には、ビデオカセットの収容部１４を有している。この収容部１４の中にはビデオカセットを着脱可能に装填することができる。
【０００８】
ボディ１２の上部１６の中には、レンズ鏡筒１８が収容されている。上部１６にはステレオマイク２０や液晶モニター２２が設けられている。この液晶モニター２２は、図１と図２に示すように所望の方向に向けることで、たとえば撮影しているカラー画像を表示したり、再生する際のカラー画像を表示したりすることができる。レンズ鏡筒１８の前側にはマニュアル式のフォーカスレンズ３１が配置されており、レンズ鏡筒１８の後側にはカラービューファインダー３２が設けられている。その他、ボディ１２の横にはバッテリーパック３４が着脱可能に取り付けられている。
【０００９】
図２に示すようにボディ１２の筐体３０は、複数の入力項目を切り換えるための入力装置４０を有している。図３では、使用者Ｈがビデオカメラレコーダ１０を使用している例を示している。使用者Ｈが手でこのビデオカメラレコーダ１０のボディ１２を持ち、使用者Ｈの目３９はカラービューファインダー３２に表示されている画像を見ているとともに、使用者Ｈの口４２は入力装置４０に対応した位置にある。入力装置４０は、筐体３０において、図４に示すように複数の開口部４６を有している。この開口部４６は図２に示すように複数個が筐体３０に形成されており、各開口部４６は、たとえば丸い穴である。
【００１０】
図４は図２のＡ−Ａにおける断面図であり、筐体３０の中にはメインの回路基板５０とセンサー６０が配置されている。センサー６０は、空気の流れの変化を検出するためのフローセンサーであり、筐体３０の内面３０Ａに対してたとえば接着剤６２により固定されている。このセンサー６０は接着剤６２で筐体３０の内面３０Ａに対して固定する以外に、機械的なはめ込みあるいはネジ止めにより固定することもできる。あるいはセンサー６０は、接着、機械的なはめ込みあるいはネジ止めのいずれか２つ以上を組み合わせて筐体３０の内面３０Ａに固定することもできる。センサー６０は、回路基板５０に対していわゆる直付けされている。このようにセンサー６０が回路基板５０に対して直付けすることにより、スペースの低減が可能となる。センサー６０は、上述した構造により筐体３０に対して簡単に固定することができる。
【００１１】
図５は、センサー６０の平面図であり、図６は図５のＢ−Ｂにおけるセンサー６０の断面図である。センサー６０は、図６（Ａ）と図６（Ｂ）に示すように空気の流れの変化を検出するエアーフローセンサーあるいは粒子速度センサーとも呼ばれているものである。このセンサー６０は、図４に示すように使用者Ｈが口４２から息６８を開口部４６側に吹き付けると、開口部４６を通った空気が矢印Ｄで示すように空気の流れの変化となってセンサー６０の付近を通過する。センサー６０は使用者が息６８を吹き付けることで生じる矢印Ｄで示す空気の流れの変化を検出することができる。センサー６０として、エアーフローセンサーを用いることにより、装置の小型化が促進できる。筐体３０には使用者Ｈがセンサー６０に息を吹き付けるための開口部４６を設けたことにより、センサー６０において空気の流れの変化を確実に発生することができる。
【００１２】
図６のセンサー６０は、たとえばＳｉ（シリコン）で作られたサブストレート７０の上に、白金測温抵抗体のような抵抗Ｒ１，Ｒ２が設けられている。この抵抗Ｒ１，Ｒ２は、白金測温抵抗体以外にピエゾ素子を用いることができる。図５のセンサー６０の端部は回路基板５０との接合部３００であり、図４の接着剤６２により端部と回路基板５０が固定されている。抵抗Ｒ１，Ｒ２は、図５に示すようにサブストレート７０の上に平行に形成されており、サブストレート７０の反対側はケミカルエッチング部７１であり、このケミカルエッチング部７１は凹部である。このようにケミカルエッチング部７１を形成することにより、感度がアップする。
【００１３】
図６（Ａ）に示すように、抵抗Ｒ１，Ｒ２は、ほぼ半円形状の等温線８０を形成するようになっている。この等温線８０の形状は風が吹いていない場合の標準的な形状である。図６（Ｂ）は、抵抗Ｒ１，Ｒ２に対して図４に示す空気の流れＤの変化が生じた時に、形状が変形した等温線８２を示している。このように等温線８２が変化することにより、抵抗Ｒ１，Ｒ２の抵抗値が変わり抵抗Ｒ１，Ｒ２に流れる電流値を変えることができる。このことからセンサー６０は矢印Ｄの空気の流れの変化を検出する。ここでいう空気の流れとは例えば空気の流速及び流れる方向である。
【００１４】
図７は、図５と図６のセンサー６０を含む制御回路例を示しており、この制御回路は図４に示すメインの回路基板５０に搭載されている。センサー６０の抵抗Ｒ１，Ｒ２にはそれぞれ抵抗Ｒ３，抵抗Ｒ４が接続されている。抵抗Ｒ１，Ｒ３の中間点は差動信号処理部１００に接続されており、同様にして抵抗Ｒ２と抵抗Ｒ４の中間点も差動信号処理部１００に接続されている。抵抗Ｒ１〜抵抗Ｒ４に対しては、基準電圧Ｖが供給されている。差動信号処理部１００は、入力項目切り換え部１２０に接続されている。入力項目切り換え部１２０は制御部１３０に接続されている。制御部１３０は記録部１４０に接続されている。制御回路は、上述した各部に対して、バッテリーパック３４から供給される電源電圧を処理する電源１１０から電源電圧が供給される。
【００１５】
センサー６０が図４の矢印Ｄの空気の流れの変化を検出すると、検出信号Ｓ１を差動信号処理部１００に送る。差動信号処理部１００は検出信号Ｓ１に基づいて、入力項目切り換え用のパルスＳ２を入力項目切り換え部１２０に供給する。入力項目切り換え部１２０は、パルスＳ２が入力される度に、第１入力項目と第２入力項目を繰り返して切り換える。このように、センサー６０が空気の流れの変化を検出する毎に第１入力項目と第２入力項目の切り換えが行われることにより、切り換え操作が簡単に行われるようになる。
【００１６】
すなわち、入力項目切り換え部１２０は、１つ目のパルスＳ２が来ると第１入力項目信号Ｓ３を制御部１３０に与え、２つ目のパルスＳ２が来ると第２入力項目信号Ｓ４を制御部１３０に与え、３つ目のパルスＳ２が来ると第１入力項目信号Ｓ３を制御部１３０に与え、４つ目のパルスＳ２が来ると第２入力項目信号Ｓ４を制御部１３０に与えるといったように、順次パルスＳ２が入力される度に、第１入力項目信号Ｓ３と第２入力項目信号Ｓ４が切り換えて制御部１３０に送られる。制御部１３０は、第１入力項目信号Ｓ３に基づいて、記録部１４０を作動して、図１と図２のビデオカメラレコーダの画像入力（画像記録）動作をさせる。また第２入力項目信号Ｓ４が制御部１３０に与えられると、制御部１３０は記録部１４０をスタンバイ（準備）動作に切り換える。
【００１７】
次に、ビデオカメラレコーダ１０における使用例について説明する。図３に示すように使用者Ｈは図示しない手でビデオカメラレコーダ１０を持つ。これにより使用者Ｈは目３９によりカラービューファインダー３２に表示されている画像を見ることができる。入力装置４０の開口部４６が使用者Ｈの口４２に対応した位置に来るので、使用者Ｈは口４２から息６８を開口部４６に吹き付ける。この息６８は図４に示すように開口部４６を通り筐体３０の中に入り矢印Ｄで示す空気の流れとなってセンサー６０の付近を通る。
【００１８】
空気の流れの変化は、図５と図６に示すセンサー６０で検出する。すなわち図６（Ａ）に示す空気の流れの変化がない状態から、図６（Ｂ）に示す空気の流れの変化がある場合には、センサー６０における等温線８０が等温線８２に示すように乱れることにより、図７に示すセンサー６０の抵抗Ｒ１，Ｒ２の間でバランスが変化することにより、センサー６０は検出信号Ｓ１を差動信号処理部１００に送る。つまりセンサー６０は息が吹き込まれたことを検出して検出信号Ｓ１を差動信号処理部１００に送る。
【００１９】
差動信号処理部１００は、検出信号Ｓ１に基づいて１つのパルスＳ２を入力項目切り換え部１２０に送る。入力項目切り換え部１２０は、第２入力項目信号Ｓ４を制御部１３０に与えていた状態から、第１入力項目信号Ｓ３を制御部１３０に与える状態に切り換える。これにより制御部１３０は記録部１４０をスタンバイ状態（ＳＴＢＹ）から画像記録状態（ＲＥＣ）に変化させる。ビデオカメラレコーダ１０はスタンバイモードから画像記録モードに変化するので、図３の使用者Ｈはビデオカメラレコーダ１０を用いて画像を記録することができる。
【００２０】
次に、図３に示す使用者Ｈが口４２から再び息６８を吹き付けると、上述したのと同様な要領で図４の矢印Ｄで示す空気の流れの変化が生じるので、図７のフローセンサー６０からは次の検出信号Ｓ１が差動信号処理部１００に送られる。差動信号処理部１００は、次のパルスＳ２を入力項目切り換え部１２０に供給するので、入力項目切り換え部１２０は第１入力項目信号Ｓ３に代えて第２入力項目信号Ｓ４を制御部１３０に送る。制御部１３０は第２入力項目信号Ｓ４に基づいて、記録部１４０を画像記録モードからスタンバイモードに切り換える。これによって図３のビデオカメラレコーダ１０による画像記録を中断して、スタンバイ状態に戻すことができる。
【００２１】
以上のようにして、図３の使用者Ｈが息６８を吹きかける毎に、画像記録モードとスタンバイモードを順次繰り返して切り換えることができる。このことからビデオカメラレコーダ１０の筐体３０にはこのような画像記録モードとスタンバイモードの切り換え用のキートップを設ける必要がないので、ビデオカメラレコーダの小型化を図ることができ、従来キートップの操作により生じた手振れを防げる。センサー６０は空気の流れの変化を検出するのであるが、センサー６０は筐体３０の中に内蔵されているので、使用者Ｈが息６８を開口部４６に積極的に吹き付けない限り空気の流れの変化を検出することがなく、ビデオカメラレコーダ１０の画像記録モードとスタンバイモードの変化の誤動作を防ぐことができる。
【００２２】
次に図８を参照して、本発明の別の実施の形態を説明する。図８の実施の形態では、センサー６０がカラービューファインダー３２のいわゆるアイカップ２００の内側に設けられている。このセンサー６０はメインの回路基板５０に対して電気的な接続部分２２０を介して電気的に接続されている。センサー６０はこの電気的な接続部分２２０に対して直付けで取り付けられている。このような構造を採用することにより、使用者の目３９の睫毛３００が瞬き動作することで空気の流れの変化を発生させれば、センサー６０はこの空気の流れの変化を検出することで、上述したような要領でたとえばビデオカメラレコーダ１０の画像記録モードとスタンバイモードの繰り返しの切り換えを行うことができる。
【００２３】
本発明の実施の形態では、筐体の中にセンサーを設けて、筐体に対して開口部を設ければよいので、部品点数の削減を図り筐体の小型化を図ることができるとともに、コストダウンを図り信頼性を向上できる。また複数の入力項目を切り換える場合に、従来と異なり息を吹きかけるだけで入力項目の切り換えを簡単に行えるので、使用者が筐体のキートップに触れる必要がないので、たとえばビデオカメラレコーダに本発明の入力装置を適用した場合には、画像記録時の手振れを解消することができる。
【００２４】
ところで本発明は上記実施の形態に限定されず、たとえば次のような構成のものも採用できる。図２に示す筐体３０は、画像記録ボタン（ＲＥＣボタン）１６０を有している。この画像記録ボタンを使用者が押している間、画像記録のスタンバイ状態となり、その時に図３に示す使用者Ｈが息６８を開口部４６に吹き付けることによって、センサー６０がその空気の流れの変化を検出した時点で、画像記録（ＲＥＣ）状態にするようにしてもよい。そして画像記録ボタン１６０を押し続けている間は画像記録状態を保持し、画像記録ボタン１６０を使用者が離すかもしくはさらに筐体３０の開口部４６に対して使用者Ｈが再び息６８を吹き付けることによって画像記録のスタンバイ状態にすることもできる。上述した中で、画像記録のスタンバイ状態とは、画像記録のいわゆるポーズ（ＰＡＵＳＥ）状態である。息を吹き付ける時間の長さを感知することにより、上記実施形態に加えて、別の機能を追加することもできる。例えば、上記実施形態中の画像記録（ＲＥＣ）状態において、使用者がある実時間以上の間、連続的に息を吹き込んだ場合、画像拡大（ズームアップ）状態とすることもできる。この時、使用者がある実時間以下の間、息を吹き込んだ場合には、上記実施形態と同様にスタンバイ状態となる。
【００２５】
なお回路基板上に搭載されているセンサーは、回路基板に対してワイヤーボンディングや導電性接着剤等を用いて直接接合することにより部品点数を削減して小型化を図ることができる。また図示の実施の形態では、電子機器としてビデオカメラレコーダを例に挙げているが、これに限らず他の種類の電子機器、たとえばデジタルスチルカメラ、携帯電話、携帯ゲーム機などに対しても、本発明の入力装置を適用することができるのは勿論である。本発明の実施の形態では、複数の入力項目の切り換えとして第１入力項目と第２入力項目を例に挙げているが、複数の入力項目としては、２つの入力項目でなく３つ以上の入力項目を順次切り換える機能を達成するようにしても勿論構わない。
【００２６】
【発明の効果】
以上説明したように、本発明によれば、入力項目を切り換えるための複数のキートップを不要とすることで部品点数の削減によるコストダウン或いは小型化や操作性の向上が図られ、また非接触状態による切り換え操作によってブレ等の発生を無くし信頼性の向上を図ることが可能となる。
【図面の簡単な説明】
【図１】本発明の入力装置を有する電子機器の好ましい実施の形態であるビデオカメラレコーダを示す斜視図。
【図２】図１のビデオカメラレコーダの別の角度から見た斜視図。
【図３】図１と図２のビデオカメラレコーダを使用者が使用している状態を示す図。
【図４】図２のＡ−Ａにおける断面構造例を示す図。
【図５】センサーの平面図。
【図６】図５のセンサーのＢ−Ｂにおける断面図。
【図７】フローセンサーに接続された制御回路例を示す図。
【図８】本発明の別の実施の形態を示す図。
【符号の説明】
１０・・・ビデオカメラレコーダ（電子機器）、３０・・・筐体、４０・・・入力装置、４６・・・開口部、６０・・・センサー、６８・・・息、１２０・・・入力項目切り換え部、Ｄ・・・空気の流れを示す矢印
【図１】
0004529228.tif 000002
【図２】
0004529228.tif 000003
【図３】
0004529228.tif 000004
【図４】
0004529228.tif 000005
【図５】
0004529228.tif 000006
【図６】
0004529228.tif 000007
【図７】
0004529228.tif 000008
【図８】
0004529228.tif 000009